(57)【要約】【課題】ＵＳＢ規格による接続を行う撮像装置において、コネクタの大型化を招くことなく、且つ、高い汎用性を実現し得る仕組みを提供する。【解決手段】ＵＳＢ規格に準拠したＵＳＢコネクタＡ１０８を介して電気的にアダプタ装置２００が接続されているか否かを検知するとともに、アダプタ装置２００が接続されていることが検知された場合にアダプタ装置２００に通信速度の異なる少なくとも２つのＵＳＢ規格に準拠した通信を行う第１のデバイスおよび第２のデバイスが接続されているか否かを検知するシステム制御回路Ａ１２１と、システム制御回路Ａ１２１による検知結果に応じて、ＵＳＢコネクタＡ１０８の各端子に割り当てる信号群を変更する処理を行うスイッチＡ１２２を備える。【選択図】図６
2018117190.tif 000002
【特許請求の範囲】
【請求項１】
ＵＳＢ規格に準拠したＵＳＢコネクタを備え、前記ＵＳＢコネクタを介して、通信速度の異なる少なくとも２つのＵＳＢ規格に準拠した通信が可能なアダプタ装置を含むデバイスと電気的に接続可能に構成された撮像装置であって、
前記ＵＳＢコネクタを介して電気的に前記アダプタ装置が接続されているか否かを検知する第１の検知手段と、
前記第１の検知手段において前記アダプタ装置が接続されていることが検知された場合に、前記アダプタ装置に前記２つのＵＳＢ規格に準拠した通信のうちの低速通信を行う第１のデバイスおよび高速通信を行う第２のデバイスが接続されているか否かを検知する第２の検知手段と、
前記第１の検知手段による検知結果と前記第２の検知手段による検知結果とに応じて、前記ＵＳＢコネクタの各端子に割り当てる信号群を変更する処理を行う信号割り当て手段と
を有することを特徴とする撮像装置。
【請求項２】
前記アダプタ装置には、前記第１のデバイスおよび前記第２のデバイスとは異なるストロボ装置が装着可能であり、
前記ストロボ装置が装着された時の前記信号割り当て手段は、
前記第２の検知手段において、前記アダプタ装置に前記第１のデバイスが接続され且つ前記第２のデバイスが接続されていないことが検知された場合には、前記ストロボ装置に関する複数の信号を含む第１の信号群を前記ＵＳＢコネクタの各端子に割り当て、
前記第２の検知手段において、前記アダプタ装置に前記第１のデバイスが接続されていないことが検知された場合または前記アダプタ装置に前記第１のデバイスが接続され且つ前記第２のデバイスが接続されていることが検知された場合には、前記第１の信号群に含まれる前記ストロボ装置に関する複数の信号のうちの一部の信号を含む第２の信号群を前記ＵＳＢコネクタの各端子に割り当てる
ことを特徴とする請求項１に記載の撮像装置。
【請求項３】
前記第２の信号群に含まれる前記一部の信号には、前記ストロボ装置の発光指示信号が含まれていることを特徴とする請求項２に記載の撮像装置。
【請求項４】
前記第２の信号群を前記ＵＳＢコネクタの各端子に割り当てた場合に、前記第１の信号群に含まれる前記ストロボ装置に関する複数の信号のうちの前記一部の信号を除く他の信号は、前記低速通信に係る信号として通信されることを特徴とする請求項２または３に記載の撮像装置。
【請求項５】
前記信号割り当て手段は、前記第１の検知手段において前記アダプタ装置が接続されていないことが検知された場合には、前記ＵＳＢ規格に準拠した第３の信号群を前記ＵＳＢコネクタの各端子に割り当てることを特徴とする請求項１乃至４のいずれか１項に記載の撮像装置。
【請求項６】
前記ＵＳＢコネクタは、ＵＳＢ  ＴＹＰＥ  Ｃコネクタであることを特徴とする請求項１乃至５のいずれか１項に記載の撮像装置。
【請求項７】
前記信号割り当て手段は、前記第３の信号群として、ＵＳＢ  ＴＹＰＥ  Ｃに標準の信号群を前記ＵＳＢコネクタの各端子に割り当てることを特徴とする請求項５に記載の撮像装置。
【請求項８】
前記低速通信は、ＵＳＢ２．０規格の通信であり、
前記高速通信は、ＵＳＢ３．１規格の通信である
ことを特徴とする請求項１乃至７のいずれか１項に記載の撮像装置。
【請求項９】
請求項１乃至８のいずれか１項に記載の撮像装置と、
前記アダプタ装置と
を有することを特徴とする撮像システム。
【請求項１０】
ＵＳＢ規格に準拠したＵＳＢコネクタを備え、前記ＵＳＢコネクタを介して、通信速度の異なる少なくとも２つのＵＳＢ規格に準拠した通信が可能なアダプタ装置を含むデバイスと電気的に接続可能に構成された撮像装置の制御方法であって、
前記ＵＳＢコネクタを介して電気的に前記アダプタ装置が接続されているか否かを検知する第１の検知ステップと、
前記第１の検知ステップにおいて前記アダプタ装置が接続されていることが検知された場合に、前記アダプタ装置に前記２つのＵＳＢ規格に準拠した通信のうちの低速通信を行う第１のデバイスおよび高速通信を行う第２のデバイスが接続されているか否かを検知する第２の検知ステップと、
前記第１の検知ステップによる検知結果と前記第２の検知ステップによる検知結果とに応じて、前記ＵＳＢコネクタの各端子に割り当てる信号群を変更する処理を行う信号割り当てステップと
を有することを特徴とする撮像装置の制御方法。
【発明の詳細な説明】
【技術分野】
【０００１】
本発明は、アダプタ装置を含むデバイスと電気的に接続可能に構成された撮像装置及びその制御方法、並びに、撮像装置とアダプタ装置とを含み構成された撮像システムに関するものである。
【背景技術】
【０００２】
近年、撮像装置であるデジタルカメラでは、外部インターフェースとして汎用コネクタであるＵＳＢ（Ｕｎｉｖｅｒｓａｌ  Ｓｅｒｉａｌ  Ｂｕｓ）コネクタを備えているものが知られている。
【０００３】
また、例えば、特許文献１には、ＵＳＢ接続を行いつつ、アダプタ装置の一構成であるアクセサリーシューに装着される外付けストロボ装置等のデバイスの制御を行う撮像装置が提案されている。
【先行技術文献】
【特許文献】
【０００４】
【特許文献１】特開２０１３−２０７３２５号公報
【発明の概要】
【発明が解決しようとする課題】
【０００５】
しかしながら、特許文献１に記載の撮像装置では、アクセサリーシューにおけるコネクタに、ＵＳＢ制御部からの信号、及び、当該撮像装置に電気的に接続されるデバイスを制御するための制御信号のそれぞれに、専用の端子を設けるものであった。このため、特許文献１に記載の撮像装置では、コネクタの端子数が多くなり、コネクタの大型化を招いてしまうという問題があった。
【０００６】
また、特許文献１に記載の撮像装置では、専用のコネクタ及び専用の端子の配列となっているため、ＵＳＢ通信手段を備えた一般的な電子機器とは直接接続することができず、汎用性に乏しいという問題もあった。
【０００７】
本発明は、このような問題点に鑑みてなされたものであり、ＵＳＢ規格による接続を行う撮像装置において、コネクタの大型化を招くことなく、且つ、高い汎用性を実現し得る仕組みを提供することを目的とする。
【課題を解決するための手段】
【０００８】
本発明の撮像装置は、ＵＳＢ規格に準拠したＵＳＢコネクタを備え、前記ＵＳＢコネクタを介して、通信速度の異なる少なくとも２つのＵＳＢ規格に準拠した通信が可能なアダプタ装置を含むデバイスと電気的に接続可能に構成された撮像装置であって、前記ＵＳＢコネクタを介して電気的に前記アダプタ装置が接続されているか否かを検知する第１の検知手段と、前記第１の検知手段において前記アダプタ装置が接続されていることが検知された場合に、前記アダプタ装置に前記２つのＵＳＢ規格に準拠した通信のうちの低速通信を行う第１のデバイスおよび高速通信を行う第２のデバイスが接続されているか否かを検知する第２の検知手段と、前記第１の検知手段による検知結果と前記第２の検知手段による検知結果とに応じて、前記ＵＳＢコネクタの各端子に割り当てる信号群を変更する処理を行う信号割り当て手段とを有する。
また、本発明は、上述した撮像装置の制御方法、及び、上述した撮像装置と上述したアダプタ装置とを有する撮像システムを含む。
【発明の効果】
【０００９】
本発明によれば、ＵＳＢ規格による接続を行う撮像装置において、コネクタの大型化を招くことなく、且つ、高い汎用性を実現することが可能となる。
【図面の簡単な説明】
【００１０】
【図１】本発明の実施形態に係るデジタルカメラ（撮像装置）の外観の一例を示す図である。
【図２】本発明の実施形態に係るアダプタ装置の外観の一例を示す図である。
【図３】図１に示すデジタルカメラ（撮像装置）と図２に示すアダプタ装置とが電気的に接続されて構成されたカメラシステム（撮像システム）の外観の一例を示す図である。
【図４】図１に示すデジタルカメラ（撮像装置）が図２に示すアダプタ装置を介して各種のデバイスと電気的に接続されて構成されたカメラシステム（撮像システム）の外観の一例を示す図である。
【図５】図１に示すデジタルカメラ（撮像装置）が図３（ｂ）に示す通信ケーブルを介してスマートフォンに接続されて構成されたカメラシステム（撮像システム）の外観の一例を示す図である。
【図６】図１に示すデジタルカメラと図２に示すアダプタ装置とが直接接続されたカメラシステム（図３（ａ）のカメラシステム）の概略構成の一例を示す図である。
【図７】図１に示すデジタルカメラ（撮像装置）と図５に示すスマートフォンとが通信ケーブルを介して接続されたカメラシステム（図５のカメラシステム）の概略構成の一例を示す図である。
【図８】図６に示すカメラシステム、及び、図７に示すカメラシステムにおいて、当該カメラシステムに含まれるデジタルカメラのＵＳＢ  ＴＹＰＥ  ＣコネクタＡの各端子に割り当てる信号群の一例を示す図である。
【図９】本発明の実施形態に係るデジタルカメラ（撮像装置）のＵＳＢ  ＴＹＰＥ  ＣコネクタＡ内の各端子における信号割り当て処理の詳細な処理手順の一例を示すフローチャートである。
【発明を実施するための形態】
【００１１】
以下に、図面を参照しながら、本発明を実施するための形態（実施形態）について説明する。
【００１２】
図１は、本発明の実施形態に係るデジタルカメラ（撮像装置）１００の外観の一例を示す図である。具体的に、図１（ａ）は、デジタルカメラ１００を正面側（被写体側）から見た斜視図を示し、図１（ｂ）は、デジタルカメラ１００を背面側から見た斜視図を示している。
【００１３】
本実施形態に係るデジタルカメラ１００は、図１（ａ）に示すように、カメラ本体１０１の正面側に、レンズ鏡筒１０２が設けられている。また、カメラ本体１０１の上面部には、電源ボタン１０３、レリーズボタン１０４、モードダイアル１０５が設けられている。
【００１４】
また、本実施形態に係るデジタルカメラ１００は、図１（ｂ）に示すように、カメラ本体１０１の背面側に、ＬＣＤ等の表示ユニット１０６が設けられている。また、カメラ本体１０１を背面側から見て、表示ユニット１０６の右側には、各種操作ボタン群１０７が設けられている。また、カメラ本体１０１を背面側から見た際のカメラ本体１０１の右側の側面には、ＵＳＢ  ＴＹＰＥ  ＣコネクタＡ１０８と、アダプタ装置取り付けビス穴１０９が設けられている。ＵＳＢ  ＴＹＰＥ  ＣコネクタＡ１０８は、ＵＳＢ規格に準拠したＵＳＢコネクタであって、デジタルカメラ１００が有する唯一の外部インターフェースコネクタである。そして、本実施形態に係るデジタルカメラ１００は、このＵＳＢ  ＴＹＰＥ  ＣコネクタＡ１０８を介してアダプタ装置（図２の２００）を含むデバイスと電気的に接続可能に構成された撮像装置である。また、アダプタ装置取り付けビス穴１０９は、図２に示すアダプタ装置２００を固定するために用いられる。
【００１５】
図２は、本発明の実施形態に係るアダプタ装置２００の外観の一例を示す図である。この図２に示すアダプタ装置２００は、図１に示すデジタルカメラ（撮像装置）１００に取り付け可能に構成された装置である。具体的に、図２（ａ）は、アダプタ装置２００を正面側（被写体側）から見た斜視図を示し、図２（ｂ）は、アダプタ装置２００を背面側から見た斜視図を示している。
【００１６】
本実施形態に係るアダプタ装置２００は、図１に示すデジタルカメラ１００に取り付けることにより、デジタルカメラ１００において後述する外付けストロボ装置やリモートレリーズケーブル等を利用可能とするための装置である。このアダプタ装置２００は、図２（ａ）に示すように、天面部２０１、グリップ部２０５、及び、天面部２０１とグリップ部２０５とを連結する連結部２０９を有して構成されている。
【００１７】
図２（ａ）に示すように、アダプタ装置２００の天面部２０１の上面外側には、レリーズボタン２０２、ＵＳＢ  ＴＹＰＥ  ＣコネクタＤ２０３、外付けストロボ装置（図４の３２０）を固定して電気的な接続を行うためのアクセサリーシュー２０４が設けられている。
【００１８】
また、図２（ａ）に示すように、アダプタ装置２００のグリップ部２０５の外側には、２つのＵＳＢ  ＴＹＰＥ  ＣコネクタＤ２０６及びＵＳＢ  ＴＹＰＥ  ＣコネクタＤ２０７と、固定用第１ビス２０８が設けられている。この固定用第１ビス２０８のネジ山部は、図２（ｂ）に示すように、グリップ部２０５の側面外側と相対する側面内側に突出している。
【００１９】
また、図２（ｂ）に示すように、アダプタ装置２００の天面部２０１の側面には、リモートレリーズケーブル（図４の３２１）を接続するためのリモートレリーズケーブル接続用コネクタ２１２が設けられている。また、アダプタ装置２００の天面部２０１の上面外側と相対する上面内側から突出した突出部２１３には、雌ネジ部（不図示）が設けられており、この突出部２１３の雌ネジ部（不図示）に固定用第２ビス２１４が螺合している。
【００２０】
また、図２（ｂ）に示すように、グリップ部２０５の側面内側には、ＵＳＢ  ＴＹＰＥ  Ｃプラグ２１０と、アダプタ装置２００のＵＳＢ  ＴＹＰＥ  ＣコネクタＢ２１１が設けられている。
【００２１】
図３は、図１に示すデジタルカメラ（撮像装置）１００と図２に示すアダプタ装置２００とが電気的に接続されて構成されたカメラシステム（撮像システム）の外観の一例を示す図である。この図３において、図１及び図２に示す構成と同様の構成については同じ符号を付している。具体的に、図３（ａ）は、図１に示すデジタルカメラ１００と図２に示すアダプタ装置２００とが直接接続されたカメラシステムを示し、図３（ｂ）は、図１に示すデジタルカメラ１００と図２に示すアダプタ装置２００とが通信ケーブル３１０を介して接続されたカメラシステムを示している。
【００２２】
図３（ａ）に示すカメラシステムの場合、アダプタ装置２００のＵＳＢ  ＴＹＰＥ  Ｃプラグ２１０をデジタルカメラ１００のＵＳＢ  ＴＹＰＥ  ＣコネクタＡ１０８に直接挿し込む。また、図２の固定用第１ビス２０８を図１（ｂ）のデジタルカメラ１００に設けられたアダプタ装置取り付けビス穴１０９に螺合させ、さらに、図２（ｂ）の固定用第２ビス２１４を突出部２１３のビス穴に対して締め込んでいく。これにより、固定用第２ビス２１４の先端においてデジタルカメラ１００を押圧することによって、アダプタ装置２００をデジタルカメラ１００に対して固定することができる。
【００２３】
図３（ｂ）に示すカメラシステムの場合、まず、通信ケーブル３１０の一方端をアダプタ装置２００のＵＳＢ  ＴＹＰＥ  ＣコネクタＢ２１１に挿し込む。さらに、通信ケーブル３１０の他方端をデジタルカメラ１００のＵＳＢ  ＴＹＰＥ  ＣコネクタＡ１０８に挿し込むことによって、図１に示すデジタルカメラ１００と図２に示すアダプタ装置２００とが通信ケーブル３１０を介して接続される。
【００２４】
アダプタ装置２００には、図２において上述したように、外部インターフェースとしてアクセサリーシュー２０４、リモートレリーズケーブル接続用コネクタ２１２、ＵＳＢ  ＴＹＰＥ  ＣコネクタＤ２０３，２０６及び２０７が設けられている。このため、図３（ａ）や図３（ｂ）に示すようにデジタルカメラ１００とアダプタ装置２００が接続されると、これらの各装置に設けられた外部インターフェースを介して、これらの各装置の内部に構成された各回路（図６）が電気的に接続されることになる。これにより、デジタルカメラ１００は、アダプタ装置２００の外部インターフェースを利用して、外付けストロボ装置やリモートレリーズケーブル、或いは、ＵＳＢ規格によるＵＳＢ通信手段を備えた電子機器等の他のデバイスと電気的に接続することが可能となる。
【００２５】
図４は、図１に示すデジタルカメラ（撮像装置）１００が図２に示すアダプタ装置２００を介して各種のデバイスと電気的に接続されて構成されたカメラシステム（撮像システム）の外観の一例を示す図である。具体的に、図４は、アダプタ装置２００のＵＳＢ  ＴＹＰＥ  Ｃプラグ２１０をデジタルカメラ１００のＵＳＢ  ＴＹＰＥ  ＣコネクタＡ１０８に直接挿し込んだ状態（図３（ａ）の状態）において、アダプタ装置２００の外部インターフェースのそれぞれに他のデバイスを接続した例を示す図である。
【００２６】
図４において、外付けストロボ装置３２０は、アダプタ装置２００のアクセサリーシュー２０４に固定されると同時に、アクセサリーシュー２０４を介してアダプタ装置２００と電気的に接続されている。
【００２７】
リモートレリーズケーブル３２１の電気接点部（不図示）は、図２（ｂ）に示すリモートレリーズケーブル接続用コネクタ２１２に挿し込まれている。また、リモートレリーズケーブル３２１は、電気接点部とケーブル部とスイッチ保持部を含み構成されているが、図を簡略化するために、リモートレリーズケーブル３２１としては電気接点部の近傍のみを図示しており、その他の部分は省略している。この際、省略された部分であるスイッチ保持部には、デジタルカメラ１００のレリーズボタン１０４と同様な操作部が設けられている。このリモートレリーズケーブル３２１を用いることにより、ユーザーは、デジタルカメラ１００から離れた位置から当該デジタルカメラ１００の撮影動作を指示することができる。
【００２８】
外付け電子ファインダー３２２は、ＵＳＢ  ＴＹＰＥ  Ｃプラグ（不図示）を備えており、そのＵＳＢ  ＴＹＰＥ  Ｃプラグをアダプタ装置２００のＵＳＢ  ＴＹＰＥ  ＣコネクタＤ２０３に挿し込むことにより、アダプタ装置２００と電気的に接続されている。外付け電子ファインダー３２２とデジタルカメラ１００とは、アダプタ装置２００を介して、ＵＳＢ規格に準拠した通信方式により相互に通信を行っている。
【００２９】
通信ケーブル３２３及び３２４は、それぞれ、ケーブルの両端にＵＳＢ  ＴＹＰＥ  Ｃプラグ（不図示）を備えた通信ケーブルである。この通信ケーブル３２３及び３２４は、上述したようにケーブルの両端にＵＳＢ  ＴＹＰＥ  Ｃプラグを備えたケーブルであるが、図４では簡略化のために、一方端のＵＳＢ  ＴＹＰＥ  Ｃプラグ近傍のみを図示している。通信ケーブル３２３の一方端のＵＳＢ  ＴＹＰＥ  ＣプラグはＵＳＢ  ＴＹＰＥ  ＣコネクタＤ２０６に挿し込まれ、他方端のＵＳＢ  ＴＹＰＥ  ＣプラグはＵＳＢ規格の通信手段を持つ電子機器（不図示）のＵＳＢ  ＴＹＰＥ  Ｃコネクタに挿し込まれる。同様に、通信ケーブル３２４の一方端のＵＳＢ  ＴＹＰＥ  ＣプラグはＵＳＢ  ＴＹＰＥ  ＣコネクタＤ２０７に挿し込まれ、他方端のＵＳＢ  ＴＹＰＥ  ＣプラグはＵＳＢ規格の通信手段を持つ電子機器（不図示）のＵＳＢ  ＴＹＰＥ  Ｃコネクタに挿し込まれる。
【００３０】
このように、デジタルカメラ１００は、アダプタ装置２００を介してこれらの電子機器（各種のデバイス）とＵＳＢ規格による通信を行うことができるように構成されている。また、デジタルカメラ１００には、ＵＳＢ通信に対応した他のデバイスである、例えばスマートフォンを接続して相互にＵＳＢ規格に準拠した通信を行うことも可能である。
【００３１】
図５は、図１に示すデジタルカメラ（撮像装置）１００が図３（ｂ）に示す通信ケーブル３１０を介してスマートフォン３３０に接続されて構成されたカメラシステム（撮像システム）の外観の一例を示す図である。具体的に、図５は、スマートフォン３３０に設けられたＵＳＢ  ＴＹＰＥ  ＣコネクタＥ３３２に通信ケーブル３１０の一方端を挿し込み、また、通信ケーブル３１０の他方端をデジタルカメラ１００のＵＳＢ  ＴＹＰＥ  ＣコネクタＡ１０８に挿し込むことによって、デジタルカメラ１００とスマートフォン３３０とはＵＳＢ規格に準拠した通信を行うことが可能となる。
【００３２】
次に、アダプタ装置２００のＵＳＢ  ＴＹＰＥ  Ｃプラグ２１０をデジタルカメラ１００のＵＳＢ  ＴＹＰＥ  ＣコネクタＡ１０８に直接挿し込んだ場合（図３（ａ）の状態）、及び、スマートフォン３３０に設けられたＵＳＢ  ＴＹＰＥ  ＣコネクタＥ３３２に通信ケーブル３１０の一方端を挿し込むとともに他方端をデジタルカメラ１００のＵＳＢ  ＴＹＰＥ  ＣコネクタＡ１０８に挿し込んだ場合（図５の状態）のカメラシステム（撮像システム）における接続形態について、図６〜図７を用いて説明する。
【００３３】
図６は、図１に示すデジタルカメラ１００と図２に示すアダプタ装置２００とが直接接続されたカメラシステム（図３（ａ）のカメラシステム）の概略構成の一例を示す図である。なお、この図６においては、図１及び図２と同様の構成については同じ符号を付しているが、図面の簡略化等のために、図１及び図２に記載された構成のうち、一部の構成についてはその記載を省略している。
【００３４】
まず、図６のデジタルカメラ１００における各機能構成について説明する。
図６に示すデジタルカメラ１００には、ＵＳＢ  ＴＹＰＥ  ＣコネクタＡ１０８、システム制御回路Ａ１２１、スイッチＡ１２２、コントローラＡ１２３が設けられている。
【００３５】
システム制御回路Ａ１２１は、デジタルカメラ１００における各種の制御を司っている。コントローラＡ１２３は、システム制御回路Ａ１２１からの指示に基づいて、或いは、ＵＳＢ  ＴＹＰＥ  ＣコネクタＡ１０８に接続されたアダプタ装置２００等の外部機器における内部のコントローラとの通信結果に基づいて、スイッチＡ１２２に信号接続切り替え指示を送信する。ＵＳＢ  ＴＹＰＥ  ＣコネクタＡ１０８は、そのコネクタ内に複数の端子（不図示）を有して構成されている。そして、スイッチＡ１２２は、コントローラＡ１２３等からの信号接続切り替え指示に基づいて、ＵＳＢ  ＴＹＰＥ  ＣコネクタＡ１０８内の各端子に所定の信号を割り当てる信号割り当て手段としての役割を担う。このＵＳＢ  ＴＹＰＥ  ＣコネクタＡ１０８内の各端子への所定の信号の割り当てに関しては、後で詳述する。また、コントローラＡ１２３は、ＵＳＢ  ＴＹＰＥ  ＣコネクタＡ１０８を介したアダプタ装置２００等の外部機器との電力の授受を制御する役割も担う。
【００３６】
次いで、図６のアダプタ装置２００における各機能構成について説明する。
図６に示すアダプタ装置２００には、レリーズボタン２０２、ＵＳＢ  ＴＹＰＥ  ＣコネクタＤ２０３，２０６，２０７、アクセサリーシュー２０４、ＵＳＢ  ＴＹＰＥ  Ｃプラグ２１０、ＵＳＢ  ＴＹＰＥ  ＣコネクタＢ２１１、リモートレリーズケーブル接続用コネクタ２１２、スイッチＢ２２１、コントローラＢ２２２、電源回路２２３、ＵＳＢハブ２２４、ストロボ発光制御スイッチ２２５、ストロボ発光制御回路２２６、システム制御回路Ｂ２２７が設けられている。
【００３７】
コントローラＢ２２２は、ＵＳＢ  ＴＹＰＥ  Ｃプラグ２１０に接続されたデジタルカメラ１００内のコントローラＡ１２３との通信結果に基づいて、スイッチＢ２２１に信号接続切り替え指示を送信する役割を担う。そして、スイッチＢ２２１は、コントローラＢ２２２からの信号接続切り替え指示に基づいて、ＵＳＢ  ＴＹＰＥ  Ｃプラグ２１０内の各端子に所定の信号を割り当てる役割を担う。
【００３８】
また、コントローラＢ２２２は、ＵＳＢ  ＴＹＰＥ  Ｃプラグ２１０或いはＵＳＢ  ＴＹＰＥ  ＣコネクタＢ２１１を介したデジタルカメラ１００との電力の授受を制御する役割も担う。さらに、コントローラＢ２２２は、ＵＳＢ  ＴＹＰＥ  ＣコネクタＤ２０３，２０６，２０７に接続されたＵＳＢ機器が、ＵＳＢ２．０通信の対応機器であるか或いはＵＳＢ３．１通信の対応デバイスであるかを後述するＣＣ１信号を用いて検知することが可能である。コントローラＢ２２２がデジタルカメラ１００から受け取った電力は、電源回路２２３に供給される。電源回路２２３は、アダプタ装置２００内のコントローラＢ２２２やストロボ発光制御回路２２６、システム制御回路Ｂ２２７等に、それぞれ必要な電力を供給する役割を担う。なお、図６においては、図の簡略化のために、電源回路２２３からストロボ発光制御回路２２６やシステム制御回路Ｂ２２７等への電力供給を担う線は省略して示している。
【００３９】
ストロボ発光制御回路２２６は、ＵＳＢ  ＴＹＰＥ  Ｃプラグ２１０を介したデジタルカメラ１００のシステム制御回路Ａ１２１からの制御信号或いはシステム制御回路Ｂ２２７からの制御信号に基づいて、アクセサリーシュー２０４に電気的に接続された外付けストロボ装置３２０の発光を制御する回路である。ストロボ発光制御スイッチ２２５は、ストロボ発光制御回路２２６が送信する外付けストロボ装置発光指示信号を受信すると、外付けストロボ装置３２０の発光待機信号とアダプタ装置２００内のグランド信号を短絡させる役割を担う。ここで、外付けストロボ装置３２０は、発光待機信号とアダプタ装置２００内のグランド信号が短絡すると、閃光を発光するように構成されている。
【００４０】
システム制御回路Ｂ２２７は、ＵＳＢ  ＴＹＰＥ  Ｃプラグ２１０の信号線を介して、デジタルカメラ１００のシステム制御回路Ａ１２１と通信する役割を担う。例えば、システム制御回路Ｂ２２７は、システム制御回路Ａ１２１からアクセサリーシュー２０４に接続された外付けストロボ装置３２０に関する信号を制御するよう命令を受けて、ストロボ発光制御回路２２６やアクセサリーシュー２０４に信号を送信する。
【００４１】
ＵＳＢハブ２２４は、ＵＳＢ通信のための信号をＵＳＢ  ＴＹＰＥ  ＣコネクタＤ２０３，２０６，２０７のそれぞれに分配する機能を有している。レリーズボタン２０２は、２段階の押圧を検出できる操作部となっている。このレリーズボタン２０２は、１段階目の検出でＳＷ１信号、２段階目の検出でＳＷ２信号をデジタルカメラ１００のシステム制御回路Ａ１２１に送信する。具体的に、レリーズボタン２０２からの各信号は、スイッチＢ２２１、ＵＳＢ  ＴＹＰＥ  Ｃプラグ２１０或いはＵＳＢ  ＴＹＰＥ  ＣコネクタＢ２１１、デジタルカメラ１００のＵＳＢ  ＴＹＰＥ  ＣコネクタＡ１０８及びスイッチＡ１２２を介して、システム制御回路Ａ１２１に送信される。
【００４２】
そして、デジタルカメラ１００のシステム制御回路Ａ１２１は、ＳＷ１信号を受信すると、焦点調整やシャッタースピードの計算等の撮影事前準備処理を行い、また、ＳＷ２信号を受信すると、レンズ鏡筒１０２によって結像された画像の撮影処理を行う。ここで、撮影事前準備処理や画像の撮影処理は、広く知られた技術であるので、その詳細な説明は省略する。また、画像の撮影処理の際には、必要に応じて、上述した外付けストロボ装置３２０の閃光の発光が行われる。
【００４３】
また、上述したように、リモートレリーズケーブル接続用コネクタ２１２は、リモートレリーズケーブル３２１を接続するためのコネクタである。このリモートレリーズケーブル３２１にも、レリーズボタン２０２と同様な操作部が設けられており、１段階目の検出でＳＷ１信号、２段階目の検出でＳＷ２信号を送信する。アダプタ装置２００内でレリーズボタン２０２からのＳＷ１信号及びＳＷ２信号の信号経路と、リモートレリーズケーブル接続用コネクタ２１２からのＳＷ１信号及びＳＷ２信号の信号経路とは、合流してスイッチＢ２２１を介して、アダプタ装置２００のＵＳＢ  ＴＹＰＥ  Ｃプラグ２１０及びＵＳＢ  ＴＹＰＥ  ＣコネクタＢ２１１内の各端子に接続される。
【００４４】
上述したように、図６は、デジタルカメラ１００とアダプタ装置２００とが直接接続された図３（ａ）のカメラシステムの概略構成図であるが、この図６を用いて、図３（ｂ）のカメラシステムの概略構成図についても、以下に説明する。
【００４５】
上述したように、図３（ｂ）のカメラシステムは、デジタルカメラ１００とアダプタ装置２００とが通信ケーブル３１０を介して接続されたカメラシステムである。このため、図３（ｂ）のカメラシステムの概略構成は、図６に示された概略構成に対して、ＵＳＢ  ＴＹＰＥ  Ｃプラグ２１０とＵＳＢ  ＴＹＰＥ  ＣコネクタＡ１０８とを非接触とし、また、ＵＳＢ  ＴＹＰＥ  ＣコネクタＡ１０８とＵＳＢ  ＴＹＰＥ  ＣコネクタＢ２１１とが通信ケーブル３１０を介して接続される構成となる。そして、図３（ｂ）のカメラシステムの場合も、デジタルカメラ１００の機能構成及びアダプタ装置２００の機能構成は、それぞれ、図６に示すデジタルカメラ１００の機能構成及びアダプタ装置２００の機能構成と同様とすることができる。このように、図３（ｂ）のカメラシステムの場合も、通信ケーブル３１０を介することにより、図３（ａ）のカメラシステムの場合と同様に、上述した電力や各種の信号の授受を行うことができる。
【００４６】
図７は、図１に示すデジタルカメラ（撮像装置）１００と図５に示すスマートフォン３３０とが通信ケーブル３１０を介して接続されたカメラシステム（図５のカメラシステム）の概略構成の一例を示す図である。具体的に、図７は、スマートフォン３３０に設けられたＵＳＢ  ＴＹＰＥ  ＣコネクタＥ３３２に通信ケーブル３１０の一方端を挿し込むとともに他方端をデジタルカメラ１００のＵＳＢ  ＴＹＰＥ  ＣコネクタＡ１０８に挿し込んだ状態を示している。なお、図７において、図６に示す構成と同様の構成については同じ符号を付しており、その詳細な説明は省略する。また、この図７においては、図６と同様に、図面の簡略化等のために、図１に記載された構成のうち、一部の構成についてはその記載を省略している。
【００４７】
ここで、図７に示すデジタルカメラ１００における各機能構成は、図６に示すデジタルカメラ１００における各機能構成と同様であるため、その説明は省略する。
【００４８】
次いで、図７のスマートフォン３３０における各機能構成について説明する。
図７に示すスマートフォン３３０には、システム制御回路Ｃ３３１、ＵＳＢ  ＴＹＰＥ  ＣコネクタＥ３３２が設けられている。システム制御回路Ｃ３３１は、スマートフォン３３０における各種の制御を司っている。スマートフォン３３０は、上述したように、ＵＳＢ規格に準拠した通信を他の機器と行うことができるように構成されている。図７の場合には、デジタルカメラ１００のシステム制御回路Ａ１２１とスマートフォン３３０のシステム制御回路Ｃ３３１とは、デジタルカメラ１００のＵＳＢ  ＴＹＰＥ  ＣコネクタＡ１０８、通信ケーブル３１０及びスマートフォン３３０のＵＳＢ  ＴＹＰＥ  ＣコネクタＥ３３２を介して、ＵＳＢ規格に準拠した通信信号の授受を行っている。
【００４９】
上述したように、スイッチＡ１２２は、コントローラＡ１２３の指示に基づいて、デジタルカメラ１００のＵＳＢ  ＴＹＰＥ  ＣコネクタＡ１０８内の各端子に所定の信号を割り当てる役割を担う。この信号の割り当てについて、以下に、より詳細に説明を行う。
【００５０】
図８は、図６に示すカメラシステム、及び、図７に示すカメラシステムにおいて、当該カメラシステムに含まれるデジタルカメラ１００のＵＳＢ  ＴＹＰＥ  ＣコネクタＡ１０８の各端子に割り当てる信号群の一例を示す図である。
【００５１】
本実施形態では、アダプタ装置２００のＵＳＢ  ＴＹＰＥ  Ｃプラグ２１０をデジタルカメラ１００のＵＳＢ  ＴＹＰＥ  ＣコネクタＡ１０８に直接挿し込んだ状態（図３（ａ）の状態）の際に、ＵＳＢ  ＴＹＰＥ  ＣコネクタＡ１０８に２種類の信号割り当てがある。図８（ａ）は、ＵＳＢ  ＴＹＰＥ  Ｃプラグ２１０をＵＳＢ  ＴＹＰＥ  ＣコネクタＡ１０８に直接挿し込んだ状態（図３（ａ）の状態）で、ＵＳＢ  ＴＹＰＥ  ＣコネクタＡ１０８の各端子に第１の信号割り当てを行った際の第１の信号群の一例を示す図である。図８（ｂ）は、ＵＳＢ  ＴＹＰＥ  Ｃプラグ２１０をＵＳＢ  ＴＹＰＥ  ＣコネクタＡ１０８に直接挿し込んだ状態（図３（ａ）の状態）で、ＵＳＢ  ＴＹＰＥ  ＣコネクタＡ１０８の各端子に第２の信号割り当てを行った際の第２の信号群の一例を示す図である。
【００５２】
また、図８（ｃ）は、デジタルカメラ１００のＵＳＢ  ＴＹＰＥ  ＣコネクタＡ１０８にＵＳＢ通信に対応した他のデバイスであるスマートフォン３３０が接続された状態（図５の状態）で、ＵＳＢ  ＴＹＰＥ  ＣコネクタＡ１０８の各端子に第３の信号割り当てを行った際の第３の信号群の一例を示す図である。
【００５３】
図８に示すように、デジタルカメラ１００のＵＳＢ  ＴＹＰＥ  ＣコネクタＡ１０８は、Ａ列とＢ列との２列の端子配列構造を有しており、また、各列に１２端子ずつ、全部で２４端子を有するコネクタとなっている。この図８に示す例では、Ａ列の各端子をＡ１からＡ１２と名付け、また、Ｂ列の各端子をＢ１からＢ１２と名付けている。また、図８（ａ）〜図８（ｃ）において、同じ信号については同じ名称と付けている。
【００５４】
まず、ＵＳＢ  ＴＹＰＥ  ＣコネクタＡ１０８の各端子に第１の信号群を割り当てる第１の信号割り当てについて、図８（ａ）を用いて説明する。
【００５５】
図８（ａ）に示すように、端子Ａ１，Ａ１２，Ｂ１及びＢ１２には、ＧＮＤ信号が割り当てられている。ＧＮＤ信号は、デジタルカメラ１００及びアダプタ装置２００の基準電位となるグランド信号である。また、端子Ａ２，Ａ３，Ｂ１０，Ｂ１１には、それぞれ、ＴＸ１＋信号，ＴＸ１−信号，ＲＸ１−信号，ＲＸ１＋信号が割り当てられている。このＴＸ１＋信号，ＴＸ１−信号，ＲＸ１＋信号，ＲＸ１−信号は、ＴＸ１＋信号とＴＸ１−信号とが、また、ＲＸ１＋信号とＲＸ１−信号とが、それぞれペアの差動信号となっており、ＵＳＢ３．１規格の通信を行うための信号である。
【００５６】
また、端子Ａ４，Ａ９，Ｂ４及びＢ９には、ＶＢＵＳ信号が割り当てられている。ＶＢＵＳ信号は、電力のやり取りを行うための信号である。また、端子Ａ５には、ＣＣ１信号が割り当てられている。このＣＣ１信号は、デジタルカメラ１００内のコントローラＡ１２３とＵＳＢ  ＴＹＰＥ  ＣコネクタＡ１０８を介して接続された他のデバイス内のコントローラとの情報のやり取りを行うための信号である。このＣＣ１信号での通信により、デジタルカメラ１００は、接続された他のデバイスの通信方式を知ることができると同時に、他のデバイスは、デジタルカメラ１００の通信方式を知ることができる。例えば、デジタルカメラ１００がＵＳＢ  ＴＹＰＥ  ＣコネクタＡ１０８を介してアダプタ装置２００に接続されると、デジタルカメラ１００とアダプタ装置２００とは、それぞれ相手の通信方式を知ることができる。その結果、接続されたデバイスが何であるかを把握することが可能となるため、デジタルカメラ１００は、接続相手がアダプタ装置２００であることを認識することができ、また、アダプタ装置２００は、接続相手がデジタルカメラ１００であることを認識することができる。図９のフローチャートを用いて後述するように、デジタルカメラ１００のＵＳＢ  ＴＹＰＥ  ＣコネクタＡ１０８内の各端子に所定の信号を割り当てる際には、事前に接続されたデジタルカメラ１００と他のデバイスとの間でＣＣ１信号による通信を行う。
【００５７】
また、端子Ａ６，Ａ７には、それぞれ、Ｄ＋信号，Ｄ−信号が割り当てられている。Ｄ＋信号とＤ−信号とはペアの差動信号となっており、ＵＳＢ２．０規格の通信を行うための信号である。また、端子Ｂ５，Ｂ６には、それぞれ、ＳＷ１信号，ＳＷ２信号が割り当てられている。ＳＷ１信号とＳＷ２信号は、上述したように、デジタルカメラ１００のシステム制御回路Ａ１２１が撮影事前準備処理や画像の撮影処理を行うトリガーとなる信号である。
【００５８】
また、端子Ｂ８，Ａ８，Ｂ７，Ａ１０，Ｂ３，Ａ１１，Ｂ２には、それぞれ、ＳＴＲＯＢＥ  ＦＬＡＳＨ信号，ＳＴＲＯＢＥ  ＤＥＴ  ＳＷ信号，ＥＦ  ＣＬＯＣＫ信号，ＳＴＲＯＢＥ  ＣＬＯＣＫ信号，ＥＦ  ＣＨＩＰ  ＳＥＬＥＴ信号，ＳＴＲＯＢＥ  ＴＸ信号，ＳＴＲＯＢＥ  ＲＸ信号が割り当てられている。これらの信号は、アクセサリーシュー２０４に取り付けられる外付けストロボ装置３２０に関する信号である。具体的に説明すると、ＳＴＲＯＢＥ  ＦＬＡＳＨ信号は、ストロボ発光制御回路２２６がＳＴＲＯＢＥ  ＦＬＡＳＨ信号を検知すると、ストロボ発光制御回路２２６がストロボ発光制御スイッチ２２５に外付けストロボ装置発光指示信号を送信するための信号である。ＳＴＲＯＢＥ  ＤＥＴ  ＳＷ信号は、アクセサリーシュー２０４に外付けストロボ装置３２０が装着されているか否かを検知するための信号である。ＥＦ  ＣＬＯＣＫ信号は、ストロボ発光制御回路２２６内のストロボ発光制御ＩＣ（不図示）が動作するためのクロック信号である。ＳＴＲＯＢＥ  ＴＸ信号は、デジタルカメラ１００のシステム制御回路Ａ１２１からストロボ発光制御ＩＣ（不図示）に情報を送信するための信号である。また、ＳＴＲＯＢＥ  ＲＸ信号は、ストロボ発光制御ＩＣ（不図示）からデジタルカメラ１００のシステム制御回路Ａ１２１に情報を送信するための信号である。ＳＴＲＯＢＥ  ＣＬＯＣＫ信号は、ＳＴＲＯＢＥ  ＴＸ信号とＳＴＲＯＢＥ  ＲＸ信号を用いた通信の際の基準クロック信号である。ＥＦ  ＣＨＩＰ  ＳＥＬＥＴ信号は、ＳＴＲＯＢＥ  ＴＸ信号とＳＴＲＯＢＥ  ＲＸ信号を用いた通信を、デジタルカメラ１００のシステム制御回路Ａ１２１とストロボ発光制御ＩＣ（不図示）との間で維持するための信号である。ＳＴＲＯＢＥ  ＴＸ信号とＳＴＲＯＢＥ  ＲＸ信号を用いた通信を行うことにより、デジタルカメラ１００のシステム制御回路Ａ１２１とストロボ発光制御ＩＣ（不図示）との間で、デジタルカメラ１００の撮影条件の設定情報や外付けストロボ装置３２０による閃光の発光が可能な状態かどうか等の種々の情報のやり取りを行うことができる。
【００５９】
また、ＳＷ１信号、ＳＷ２信号、ＳＴＲＯＢＥ  ＦＬＡＳＨ信号、ＳＴＲＯＢＥ  ＤＥＴ  ＳＷ信号、ＥＦ  ＣＬＯＣＫ信号、ＳＴＲＯＢＥ  ＣＬＯＣＫ信号、ＥＦ  ＣＨＩＰ  ＳＥＬＥＴ信号、ＳＴＲＯＢＥ  ＴＸ信号及びＳＴＲＯＢＥ  ＲＸ信号は、後述するＵＳＢ  ＴＹＰＥ  Ｃの標準の信号割り当てには存在しない信号であり、アダプタ装置２００とデジタルカメラ１００とが接続された場合にのみ使用する専用の信号であるので、以下「専用信号」と称する。
【００６０】
次いで、ＵＳＢ  ＴＹＰＥ  ＣコネクタＡ１０８の各端子に第２の信号群を割り当てる第２の信号割り当てについて、図８（ｂ）を用いて説明する。なお、以下の図８（ｂ）の説明においては、図８（ａ）を用いて上述した信号名の役割は、図８（ｂ）においても同じ役割であるので、その説明は省略する。
【００６１】
図８（ｂ）に示すように、端子Ａ１，Ａ１２，Ｂ１及びＢ１２には、ＧＮＤ信号が割り当てられている。また、端子Ａ２，Ａ３，Ｂ１０，Ｂ１１には、それぞれ、ＴＸ１＋信号，ＴＸ１−信号，ＲＸ１−信号，ＲＸ１＋信号が割り当てられている。さらに、端子Ｂ２，Ｂ３，Ａ１０，Ａ１１には、それぞれ、ＴＸ２＋信号，ＴＸ２−信号，ＲＸ２−信号，ＲＸ２＋信号が割り当てられている。このＴＸ２＋信号，ＴＸ２−信号，ＲＸ２＋信号，ＲＸ２−信号は、それぞれ、上述したＴＸ１＋信号，ＴＸ１−信号，ＲＸ１−信号，ＲＸ１＋信号と同様の役割を担っている。即ち、ＴＸ２＋信号とＴＸ２−信号とが、また、ＲＸ２＋信号とＲＸ２−信号とが、それぞれペアの差動信号となっており、それらは、ＵＳＢ３．１規格の通信を行うための信号である。この図８（ｂ）に示す第２の信号割り当てでは、ＵＳＢ３．１通信が２系統設けられていることになる。
【００６２】
また、端子Ａ４，Ａ９，Ｂ４及びＢ９には、ＶＢＵＳ信号が割り当てられている。また、端子Ａ５には、ＣＣ１信号が割り当てられている。また、端子Ａ８，Ｂ８には、それぞれ、ＳＢＵ１信号，ＳＢＵ２信号が割り当てられている。これらのＳＢＵ信号は、ＵＳＢ  ＴＹＰＥ  Ｃコネクタの機能を拡張するための拡張用信号として使われる。
【００６３】
端子Ｂ５，Ｂ６には、それぞれ、ＳＷ１信号，ＳＷ２信号が割り当てられている。また、端子Ａ６，Ａ７には、それぞれ、Ｄ＋信号，Ｄ−信号が割り当てられている。
【００６４】
さらに、端子Ｂ７には、ＳＴＲＯＢＥ  ＦＬＡＳＨ信号が割り当てられている。この図８（ｂ）の第２の信号割り当てでは、外付けストロボ装置３２０に関する信号のうち、単独で割り当てられる信号は、このＳＴＲＯＢＥ  ＦＬＡＳＨ信号のみである。この理由を以下に説明する。デジタルカメラ１００のシステム制御回路Ａ１２１は、アダプタ装置２００のシステム制御回路Ｂ２２７に外付けストロボ装置３２０に関する制御を実施するように指示している。そして、システム制御回路Ａ１２１とシステム制御回路Ｂ２２７との通信は、端子Ａ６，Ａ７にそれぞれ割り当てられているＤ＋信号，Ｄ−信号のＵＳＢ２．０通信の信号を専用信号として使用して行っている。また、デジタルカメラ１００のレリーズ動作に合わせて外付けストロボ装置３２０の発光指示を行う必要があるため、外付けストロボ装置３２０に関する信号の中で通信速度が重要な信号であるＳＴＲＯＢＥ  ＦＬＡＳＨ信号を専用信号として割り当てている。そして、外付けストロボ装置３２０に関する信号の中で通信速度の優先度が低いそれ以外の信号については、Ｄ＋信号，Ｄ−信号の規格上はＵＳＢ２．０通信の信号線として用いている信号線を使用して通信を行う。このため、図８（ｂ）の第２の信号割り当てでは、端子Ａ６，Ａ７にそれぞれ割り当てられているＤ＋信号，Ｄ−信号は、デジタルカメラ１００のシステム制御回路Ａ１２１とアダプタ装置２００のシステム制御回路Ｂ２２７との通信を行うためだけに用いる信号線となっている。
【００６５】
図８（ａ）に示す第１の信号割り当てでは、ＵＳＢ３．１通信を行うことが可能な信号は、ＴＸ１＋信号，ＴＸ１−信号，ＲＸ１−信号，ＲＸ１＋信号の１系統のみであり、ＵＳＢ２．０通信を行うことが可能な信号は、Ｄ＋信号，Ｄ−信号の１系統である。これに対して、図８（ｂ）に示す第２の信号割り当てでは、ＵＳＢ３．１通信を行うことが可能な信号は、ＴＸ１＋信号，ＴＸ１−信号，ＲＸ１−信号，ＲＸ１＋信号と、ＴＸ２＋信号，ＴＸ２−信号，ＲＸ２−信号，ＲＸ２＋信号との２系統がある。なお、図８（ｂ）に示す第２の信号割り当てでは、上述した通信方法によっては、ＵＳＢ２．０通信を行うことが可能な信号が存在しない場合もあり得る。
【００６６】
例えば、図６に示すアダプタ装置２００のコントローラＢ２２２がＵＳＢ  ＴＹＰＥ  ＣコネクタＤ２０３，２０６，２０７に接続されたデバイスを検知すると、接続されたデバイスによってスイッチＢ２２１に指示を出す。その後、接続されたデバイスに係る情報が、例えばシステム制御回路Ｂ２２７やスイッチＢ２２１、ＵＳＢ  ＴＹＰＥ  Ｃプラグ２１０を介して、デジタルカメラ１００に送信される。そして、デジタルカメラ１００では、この接続されたデバイスに係る情報に基づいて、ＵＳＢ  ＴＹＰＥ  ＣコネクタＡ１０８の各端子に第１の信号割り当て或いは第２の信号割り当てを行う。
【００６７】
次いで、ＵＳＢ  ＴＹＰＥ  ＣコネクタＡ１０８の各端子に第３の信号群を割り当てる第３の信号割り当てについて、図８（ｃ）を用いて説明する。この図８（ｃ）は、上述したように、デジタルカメラ１００のＵＳＢ  ＴＹＰＥ  ＣコネクタＡ１０８にＵＳＢ通信に対応した他のデバイスであるスマートフォン３３０が接続された状態（図５の状態）の場合に割り当てられる信号群を示している。具体的に、この図８（ｃ）に示す第３の信号群を割り当てる第３の信号割り当ては、ＵＳＢ規格に準拠した信号群を割り当てるものである。なお、以下の図８（ｃ）の説明においては、図８（ａ）を用いて上述した信号名の役割は、図８（ｃ）においても同じ役割であるので、その説明は省略する。
【００６８】
図８（ｃ）に示すように、端子Ａ１，Ａ１２，Ｂ１及びＢ１２には、ＧＮＤ信号が割り当てられている。また、端子Ａ２，Ａ３，Ｂ１０，Ｂ１１には、それぞれ、ＴＸ１＋信号，ＴＸ１−信号，ＲＸ１−信号，ＲＸ１＋信号が割り当てられている。また、端子Ｂ２，Ｂ３，Ａ１０，Ａ１１には、それぞれ、ＴＸ２＋信号，ＴＸ２−信号，ＲＸ２−信号，ＲＸ２＋信号が割り当てられている。なお、ＴＸ２＋信号，ＴＸ２−信号，ＲＸ２−信号，ＲＸ２＋信号は、ＴＸ１＋信号，ＴＸ１−信号，ＲＸ１−信号，ＲＸ１＋信号と同様の役割を担っている。即ち、ＴＸ２＋信号とＴＸ２−信号、ＲＸ２＋信号とＲＸ２−信号とは、それぞれ、ペアの差動信号となっており、それらは、ＵＳＢ３．１規格の通信を行うための信号である。また、端子Ａ４，Ａ９，Ｂ４，Ｂ９には、ＶＢＵＳ信号が割り当てられている。また、端子Ａ５には、ＣＣ１信号が割り当てられている。また、端子Ａ６，Ａ７には、それぞれ、Ｄ＋信号とＤ−信号が割り当てられている。さらに、端子Ｂ６，Ｂ７にも、それぞれ、Ｄ＋信号とＤ−信号が割り当てられている。また、端子Ｂ５，Ａ８，Ｂ８には、それぞれ、ＣＣ２信号，ＳＢＵ１信号，ＳＢＵ２信号が割り当てられている。ここで、ＣＣ２信号は、ＣＣ１信号と同じ役割を担う信号である。また、ＳＢＵ１信号とＳＢＵ２信号は、予備の信号であり、特定の役割は担っていない。
【００６９】
この図８（ｃ）に示す信号割り当ては、具体的に、ＵＳＢ  ＴＹＰＥ  Ｃの規格団体が制定した標準の信号割り当てとなっている。したがって、図５のカメラシステムのように、デジタルカメラ１００のＵＳＢ  ＴＹＰＥ  ＣコネクタＡ１０８にＵＳＢ通信に対応した他のデバイスの一例であるスマートフォン３３０が接続された場合に、デジタルカメラ１００とスマートフォン３３０とはＵＳＢ規格に準拠した通信を相互に行うことができる。
【００７０】
本発明の実施形態では、デジタルカメラ１００は、所定の判定に基づいて、ＵＳＢ  ＴＹＰＥ  ＣコネクタＡ１０８内の各端子に対して、図８（ａ），図８（ｂ）及び図８（ｃ）に示す信号の割り当てを切り替えるようにしている。以下、このＵＳＢ  ＴＹＰＥ  ＣコネクタＡ１０８内の各端子における信号割り当て処理の詳細について、図９を用いて説明する。
【００７１】
図９は、本発明の実施形態に係るデジタルカメラ（撮像装置）１００のＵＳＢ  ＴＹＰＥ  ＣコネクタＡ１０８内の各端子における信号割り当て処理の詳細な処理手順の一例を示すフローチャートである。具体的に、本実施形態においては、この図９は、本発明の実施形態に係るデジタルカメラ（撮像装置）１００の制御方法における処理手順の一例を示すフローチャートに相当する。また、以下に説明する図９のフローチャートの処理では、ＵＳＢ  ＴＹＰＥ  ＣコネクタＡ１０８内の各端子における信号割り当てとして、図８（ａ）〜図８（ｃ）に示す第１〜第３の信号割り当ての何れかを行う場合について説明する。
【００７２】
まず、ステップＳ１０１において、システム制御回路Ａ１２１は、例えばコントローラＡ１２３を介して、デジタルカメラ１００のＵＳＢ  ＴＹＰＥ  ＣコネクタＡ１０８に何らかのデバイスが接続されたか否かを判断（検知）する。この判断の結果、ＵＳＢ  ＴＹＰＥ  ＣコネクタＡ１０８に何れのデバイスも接続されていない場合には（Ｓ１０１／Ｎ）、ＵＳＢ  ＴＹＰＥ  ＣコネクタＡ１０８に何らかのデバイスが接続されたと判断されるまで、ステップＳ１０１に待機する。
【００７３】
一方、ステップＳ１０１の判断の結果、ＵＳＢ  ＴＹＰＥ  ＣコネクタＡ１０８に何らかのデバイスが接続された場合には（Ｓ１０１／Ｙ）、ステップＳ１０２に進む。
ステップＳ１０２に進むと、システム制御回路Ａ１２１は、コントローラＡ１２３を介して、当該接続されたデバイスとＣＣ１信号にて通信を行うことにより得た情報に基づいて、当該接続されたデバイスの種類を確認して検知する処理を行う。
【００７４】
続いて、ステップＳ１０３において、システム制御回路Ａ１２１は、ステップＳ１０２の確認による検知結果に基づいて、ＵＳＢ  ＴＹＰＥ  ＣコネクタＡ１０８に接続されたデバイスがアダプタ装置２００であるか否かを判断（検知）する。
【００７５】
ステップＳ１０３の判断の結果、デジタルカメラ１００のＵＳＢ  ＴＹＰＥ  ＣコネクタＡ１０８に接続されたデバイスがアダプタ装置２００でない場合には（Ｓ１０３／Ｎ）、ステップＳ１０４に進む。
ステップＳ１０４に進むと、スイッチＡ１２２は、コントローラＡ１２３やシステム制御回路Ａ１２１の制御に基づいて、図８（ｃ）に示す第３の信号群をＵＳＢ  ＴＹＰＥ  ＣコネクタＡ１０８の各端子に割り当てる第３の信号割り当てを行う。これは、本実施形態においては、ＵＳＢ  ＴＹＰＥ  ＣコネクタＡ１０８に接続されたデバイスがアダプタ装置２００でない場合には、ＵＳＢ通信に対応したデバイスであるスマートフォン３３０が通信ケーブル３１０を介して接続された場合となるからである。
【００７６】
続いて、ステップＳ１０５において、システム制御回路Ａ１２１は、コントローラＡ１２３を介して、ＵＳＢ  ＴＹＰＥ  ＣコネクタＡ１０８に接続されたデバイスが取り外されたか否かを判断（検知）する。この判断の結果、ＵＳＢ  ＴＹＰＥ  ＣコネクタＡ１０８に接続されたデバイスが取り外されていない場合には（Ｓ１０５／Ｎ）、ＵＳＢ  ＴＹＰＥ  ＣコネクタＡ１０８に接続されたデバイスが取り外されたと判断されるまで、ステップＳ１０５に待機する。
【００７７】
ステップＳ１０５の判断の結果、ＵＳＢ  ＴＹＰＥ  ＣコネクタＡ１０８に接続されたデバイスが取り外された場合には（Ｓ１０５／Ｙ）、ステップＳ１０１に戻り、ステップＳ１０１以降の処理を行う。
【００７８】
また、ステップＳ１０３の判断の結果、デジタルカメラ１００のＵＳＢ  ＴＹＰＥ  ＣコネクタＡ１０８に接続されたデバイスがアダプタ装置２００である場合には（Ｓ１０３／Ｙ）、ステップＳ１０６に進む。
ステップＳ１０６に進むと、スイッチＡ１２２は、コントローラＡ１２３やシステム制御回路Ａ１２１の制御に基づいて、図８（ｂ）に示す第２の信号群をＵＳＢ  ＴＹＰＥ  ＣコネクタＡ１０８の各端子に割り当てる第２の信号割り当てを行う。このステップＳ１０６の詳細について、以下に説明する。
【００７９】
具体的に、ステップＳ１０６に進む場合は、例えば図３（ａ）のカメラシステムの場合であり、この場合、コントローラＡ１２３は、アダプタ装置２００のコントローラＢ２２２とＶＢＵＳ信号やＣＣ１信号を用いて通信を行う。そして、アダプタ装置２００では、ＵＳＢ  ＴＹＰＥ  Ｃプラグ２１０に接続されたデバイスがデジタルカメラ１００であることを認識する。そして、例えばコントローラＢ２２２は、スイッチＢ２２１に信号接続切り替え指示を出して、ＵＳＢ  ＴＹＰＥ  Ｃプラグ２１０の信号線の割り当てを図８（ｂ）の第２の信号割り当ての状態にするように切り替える。これに伴い、例えば、デジタルカメラ１００のシステム制御回路Ａ１２１は、コントローラＡ１２３を介して、アダプタ装置２００のコントローラＢ２２２からＵＳＢ  ＴＹＰＥ  Ｃプラグ２１０の信号線割り当てが第２の信号割り当てとなった旨の情報を取得する。そして、デジタルカメラ１００のコントローラＡ１２３は、システム制御回路Ａ１２１の制御に基づいて、ＵＳＢ  ＴＹＰＥ  ＣコネクタＡ１０８の信号割り当ても、第２の信号割り当てとなるように、スイッチＡ１２２に信号接続切り替え指示を送信する。これにより、スイッチＡ１２２は、コントローラＡ１２３やシステム制御回路Ａ１２１の制御に基づいて、図８（ｂ）に示す第２の信号群をＵＳＢ  ＴＹＰＥ  ＣコネクタＡ１０８の各端子に割り当てる第２の信号割り当てを行う。
【００８０】
このステップＳ１０６の処理により、デジタルカメラ１００とアダプタ装置２００は、図８（ｂ）に示すように、外付けストロボ装置３２０に関する信号のうち、ＳＴＲＯＢＥ  ＦＬＡＳＨ信号のみが端子や信号線に割り当てられる。そして、このステップＳ１０６の処理では、外付けストロボ装置３２０に関する信号のうち、ＳＴＲＯＢＥ  ＦＬＡＳＨ信号以外の信号は、図８（ｂ）に示す端子Ａ６，Ａ７に割り当てたＤ＋信号，Ｄ−信号を用いて通信を行う。このとき、図４に示すように、アクセサリーシュー２０４に外付けストロボ装置３２０が接続されると、デジタルカメラ１００とアダプタ装置２００との間の外付けストロボ装置３２０に関する信号のやり取りは、ＳＴＲＯＢＥ  ＦＬＡＳＨ信号を除き、図８（ｂ）に示す端子Ａ６，Ａ７に割り当てたＤ＋信号，Ｄ−信号を使用して行われ、デジタルカメラ１００のシステム制御回路Ａ１２１とアダプタ装置２００のシステム制御回路Ｂ２２７の通信が行われる。本実施形態では、Ｄ＋信号，Ｄ−信号を用いて行われるシステム制御回路Ａ１２１とシステム制御回路Ｂ２２７との信号のやり取りの内容は、ＳＴＤＥＴ  ＳＷ信号，ＥＦ  ＣＬＯＣＫ信号，ＳＴＲＯＢＥ  ＣＬＯＣＫ信号，ＥＦ  ＣＨＩＰ  ＳＥＬＥＴ信号，ＳＴＲＯＢＥ  ＴＸ信号，ＳＴＲＯＢＥ  ＲＸ信号の内容となっている。具体的に、アダプタ装置２００では、システム制御回路Ｂ２２７から送信されるＳＴＤＥＴ  ＳＷ信号により、アクセサリーシュー２０４に接続される外付けストロボ装置３２０が接続されているか否かの情報を取得する。さらに、システム制御回路Ｂ２２７からは、ＥＦ  ＣＬＯＣＫ信号，ＳＴＲＯＢＥ  ＣＬＯＣＫ信号，ＥＦ  ＣＨＩＰ  ＳＥＬＥＴ信号，ＳＴＲＯＢＥ  ＴＸ信号，ＳＴＲＯＢＥ  ＲＸ信号がストロボ発光制御回路２２６に送信される。
【００８１】
ステップＳ１０６の処理が終了すると、ステップＳ１０７に進む。
ステップＳ１０７に進むと、システム制御回路Ａ１２１は、コントローラＡ１２３を介して、ＵＳＢ  ＴＹＰＥ  ＣコネクタＡ１０８にアダプタ装置２００が接続されているか否かを判断（検知）する。この判断の結果、ＵＳＢ  ＴＹＰＥ  ＣコネクタＡ１０８にアダプタ装置２００が接続されていない場合には（Ｓ１０７／Ｎ）、ステップＳ１０１に戻り、ステップＳ１０１以降の処理を行う。
【００８２】
一方、ステップＳ１０７の判断の結果、ＵＳＢ  ＴＹＰＥ  ＣコネクタＡ１０８にアダプタ装置２００が接続されている場合には（Ｓ１０７／Ｙ）、ステップＳ１０８に進む。
ステップＳ１０８に進むと、システム制御回路Ａ１２１は、コントローラＡ１２３とコントローラＢ２２２との間のＣＣ１信号を用いた通信によって、ＵＳＢ  ＴＹＰＥ  ＣコネクタＤ２０３，２０６，２０７に接続された他のデバイスの情報を取得する。ここで、本実施形態においては、アダプタ装置２００のＵＳＢ  ＴＹＰＥ  ＣコネクタＤ２０３，２０６，２０７には、ＵＳＢ  ＴＹＰＥ  Ｃ規格で指定されているＵＳＢ３．１規格のデバイスとＵＳＢ２．０規格のデバイスの接続が可能となっている。ここで、ＵＳＢ３．１規格のデバイスは、ＵＳＢ２．０規格よりも高速通信が可能なＵＳＢ３．１規格のデバイスであり、ＵＳＢ２．０規格のデバイスは、ＵＳＢ３．１規格よりも低速通信であるＵＳＢ２．０規格のデバイスである。なお、ＵＳＢ  ＴＹＰＥ  Ｃ規格に関しては、既に公知の技術であるため、その説明は省略する。
【００８３】
続いて、ステップＳ１０９において、システム制御回路Ａ１２１は、ステップＳ１０８で取得した情報に基づいて、ＵＳＢ  ＴＹＰＥ  ＣコネクタＤ２０３，２０６，２０７にＵＳＢ２．０規格のデバイスが接続されているか否かを判断（検知）する。この判断の結果、ＵＳＢ  ＴＹＰＥ  ＣコネクタＤ２０３，２０６，２０７にＵＳＢ２．０規格のデバイスが接続されていない場合には（Ｓ１０９／Ｎ）、ステップＳ１０６に戻り、ステップＳ１０６以降の処理を行う。
【００８４】
一方、ステップＳ１０６の判断の結果、ＵＳＢ  ＴＹＰＥ  ＣコネクタＤ２０３，２０６，２０７にＵＳＢ２．０規格のデバイスが接続されている場合には（Ｓ１０９／Ｙ）、ステップＳ１１０に進む。
ステップＳ１１０に進むと、システム制御回路Ａ１２１は、コントローラＡ１２３とコントローラＢ２２２との間の通信に基づいて、ＵＳＢ  ＴＹＰＥ  ＣコネクタＤ２０３，２０６，２０７のうちのＵＳＢ２．０規格のデバイスが接続されているコネクタ以外の他のコネクタにＵＳＢ３．１規格のデバイスが接続されており、且つ、ＵＳＢ３．１規格の通信が２系統分必要であるか否かを判断（検知）する。このステップＳ１１０の詳細について、以下に説明する。
【００８５】
ステップＳ１１０において、ＵＳＢ２．０規格のデバイスが接続され、更に、ＵＳＢ３．１規格のデバイスが２系統接続されている場合としては、例えば、以下の場合が考えられる。例えば、アダプタ装置２００のＵＳＢ  ＴＹＰＥ  ＣコネクタＤ２０３にＵＳＢ２．０規格のデバイスが接続され、ＵＳＢ  ＴＹＰＥ  ＣコネクタＤ２０６，２０７にそれぞれＵＳＢ３．１規格のデバイスが接続されている場合である。なお、ここで挙げた態様は飽くまでも一例であり、本実施形態においては、ＵＳＢ  ＴＹＰＥ  ＣコネクタＤ２０３，２０６，２０７に接続されているデバイスの場所はこれに限定されるものではない。また、必ずしも、ＵＳＢ３．１規格のデバイスがアダプタ装置２００のＵＳＢ  ＴＹＰＥ  ＣコネクタＤ２０３，２０６，２０７の２箇所に接続されていなくてもよい。
【００８６】
ステップＳ１１０の判断の結果、ＵＳＢ  ＴＹＰＥ  ＣコネクタＤ２０３，２０６，２０７にＵＳＢ３．１規格のデバイスが接続されており、且つ、ＵＳＢ３．１規格の通信が２系統分必要である場合には（Ｓ１１０／Ｙ）、ステップＳ１０６に戻り、ステップＳ１０６以降の処理を行う。このステップＳ１０６に戻る段階では、ＵＳＢ２．０規格のデバイスは通信可能な状態にはなっておらず、ＵＳＢ３．１規格のデバイスの通信が優先される。
【００８７】
一方、ステップＳ１１０の判断の結果、ＵＳＢ  ＴＹＰＥ  ＣコネクタＤ２０３，２０６，２０７にＵＳＢ３．１規格のデバイスが接続されておらず、または、ＵＳＢ３．１規格の通信が２系統分必要でない場合には（Ｓ１１０／Ｎ）、ステップＳ１１１に進む。
ステップＳ１１１に進むと、スイッチＡ１２２は、コントローラＡ１２３やシステム制御回路Ａ１２１の制御に基づいて、図８（ａ）に示す第１の信号群をＵＳＢ  ＴＹＰＥ  ＣコネクタＡ１０８の各端子に割り当てる第１の信号割り当てを行う。このステップＳ１０６の詳細について、以下に説明する。
【００８８】
図８（ａ）に示す第１の信号割り当てでは、ＵＳＢ３．１規格が１系統になるが、ＵＳＢ２．０規格を１系統確保することで、ＵＳＢ２．０規格のデバイスを使用することが可能となる。
【００８９】
具体的に、ステップＳ１１１に進む場合は、コントローラＢ２２２がスイッチＢ２２１に信号接続切り替え指示を出して、ＵＳＢ  ＴＹＰＥ  Ｃプラグ２１０の信号線の割り当てを図８（ａ）の第１の信号割り当ての状態にするように切り替える。これに伴い、例えば、デジタルカメラ１００のシステム制御回路Ａ１２１は、コントローラＡ１２３を介して、アダプタ装置２００のコントローラＢ２２２からＵＳＢ  ＴＹＰＥ  Ｃプラグ２１０の信号線割り当てが第１の信号割り当てとなった旨の情報を取得する。そして、デジタルカメラ１００のコントローラＡ１２３は、システム制御回路Ａ１２１の制御に基づいて、ＵＳＢ  ＴＹＰＥ  ＣコネクタＡ１０８の信号割り当ても、第１の信号割り当てとなるように、スイッチＡ１２２に信号接続切り替え指示を送信する。これにより、スイッチＡ１２２は、コントローラＡ１２３やシステム制御回路Ａ１２１の制御に基づいて、図８（ａ）に示す第１の信号群をＵＳＢ  ＴＹＰＥ  ＣコネクタＡ１０８の各端子に割り当てる第１の信号割り当てを行う。
【００９０】
このステップＳ１１１の処理により、デジタルカメラ１００とアダプタ装置２００は、図８（ａ）に示すように、外付けストロボ装置３２０に関するそれぞれの信号が端子や信号線に割り当てられる。この際、アクセサリーシュー２０４に外付けストロボ装置３２０が接続された場合に、デジタルカメラ１００とアダプタ装置２００との間での外付けストロボ装置３２０に関する信号の通信は、アダプタ装置２００のシステム制御回路Ｂ２２７を使用せずにデジタルカメラ１００のシステム制御回路Ａ１２１がＵＳＢ  ＴＹＰＥ  ＣコネクタＡ１０８とＵＳＢ  ＴＹＰＥ  Ｃプラグ２１０に割り当てられている専用信号のそれぞれの信号線を用いて通信を行う。
【００９１】
ステップＳ１１１の処理が終了すると、ステップＳ１０９に戻る。そして、ステップＳ１０９において、ＵＳＢ  ＴＹＰＥ  ＣコネクタＤ２０３，２０６，２０７にＵＳＢ２．０規格のデバイスが接続されていないと判断されれば（Ｓ１０９／Ｎ）、ステップＳ１０６に戻り、第２の信号割り当てとなる。また、ＵＳＢ２．０規格のデバイスが接続されている場合でも（Ｓ１０９／Ｙ）、ＵＳＢ３．１規格のデバイスが追加接続される等によりＵＳＢ３．１規格の通信が２系統分必要であると判断されれば（Ｓ１１０／Ｙ）、Ｓ１０６に戻り、第２の信号割り当てとなる。
【００９２】
上述した本実施形態のデジタルカメラ１００では、システム制御回路Ａ１２１は、ＵＳＢ  ＴＹＰＥ  ＣコネクタＡ１０８を介して電気的にアダプタ装置２００が接続されているか否かを検知している（図９のＳ１０３）。当該検知の処理を行うシステム制御回路Ａ１２１は、第１の検知手段を構成する。なお、上述した図９の説明においては、当該検知の処理をシステム制御回路Ａ１２１が行うこととしているが、本実施形態においてはこれに限定されるものではなく、例えばコントローラＡ１２３が行うようにしてもよい。
また、システム制御回路Ａ１２１は、ＵＳＢ  ＴＹＰＥ  ＣコネクタＡ１０８を介して電気的にアダプタ装置２００が接続されていることを検知した場合に、アダプタ装置２００に通信速度の異なる少なくとも２つのＵＳＢ規格に準拠した通信のうちの低速通信を行うＵＳＢ２．０規格のデバイス（第１のデバイス）および高速通信を行うＵＳＢ３．１規格のデバイス（第２のデバイス）が接続されているか否かを検知している（図９のＳ１０９，Ｓ１１０）。当該検知の処理を行うシステム制御回路Ａ１２１は、第２の検知手段を構成する。なお、上述した図９の説明においては、当該検知の処理をシステム制御回路Ａ１２１が行うこととしているが、本実施形態においてはこれに限定されるものではなく、例えばコントローラＡ１２３が行うようにしてもよい。
そして、スイッチＡ１２２は、上述した第１の検知手段による検知結果と第２の検知手段による検知結果とに応じて、ＵＳＢ  ＴＹＰＥ  ＣコネクタＡ１０８の各端子に割り当てる信号群を変更している（図９のＳ１１１，Ｓ１０６，Ｓ１０４）。
かかる構成によれば、汎用的なＵＳＢコネクタの各端子に割り当てる信号群を変更するようにしているため、コネクタの大型化を招くことなく、且つ、高い汎用性を実現することが可能となる。さらに、本実施形態のデジタルカメラ１００では、外部インターフェースコネクタとしてＵＳＢ  ＴＹＰＥ  ＣコネクタＡ１０８のみを構成しているため、当該コネクタに加えてアクセサリーシュー２０４及びリモートレリーズケーブル接続用コネクタ２１２を構成した場合と比較して、デジタルカメラ１００を小型化することができる。
【００９３】
具体的に、上述した本実施形態では、アダプタ装置２００にはストロボ装置３２０が装着可能に構成されている。そして、ストロボ装置３２０がアダプタ装置２００に装着された時のスイッチＡ１２２は、アダプタ装置２００にＵＳＢ２．０規格のデバイス（第１のデバイス）が接続され且つＵＳＢ３．１規格のデバイス（第２のデバイス）が接続されていないことが検知された場合には、ストロボ装置３２０に関する複数の信号を含む第１の信号群をＵＳＢ  ＴＹＰＥ  ＣコネクタＡ１０８の各端子に割り当てている（図９のＳ１１１，図８（ａ））。
また、スイッチＡ１２２は、アダプタ装置２００にＵＳＢ２．０規格のデバイスが接続されていないことが検知された場合またはＵＳＢ２．０規格のデバイスが接続され且つＵＳＢ３．１規格のデバイスが接続されていることが検知された場合には、図８（ａ）に示す第１の信号群に含まれるストロボ装置３２０に関する複数の信号のうちの一部の信号を含む第２の信号群をＵＳＢ  ＴＹＰＥ  ＣコネクタＡ１０８の各端子に割り当てている（図９のＳ１０６，図８（ｂ））。ここで、第２の信号群に含まれる一部の信号には、ストロボ装置３２０の発光指示信号であるＳＴＲＯＢＥ  ＦＬＡＳＨ信号が含まれている（図８（ｂ））。また、図８（ｂ）に示す第２の信号群を割り当てた場合に、図８（ａ）に示す第１の信号群に含まれるストロボ装置３２０に関する複数の信号のうちのＳＴＲＯＢＥ  ＦＬＡＳＨ信号を除く他の信号は、ＵＳＢ２．０通信に係る信号として通信される。
【００９４】
さらに、上述した本実施形態では、スイッチＡ１２２は、アダプタ装置２００が接続されていないことが検知された場合、ＵＳＢ規格に準拠した第３の信号群をＵＳＢ  ＴＹＰＥ  ＣコネクタＡ１０８の各端子に割り当てている（図９のＳ１０４，図８（ｃ））。
かかる構成によれば、アダプタ装置２００が接続されていない場合には、ＵＳＢ規格に準拠した信号群をＵＳＢコネクタの各端子に割り当てているため、世の中に広く流通しているＵＳＢ規格による通信手段を備えた電子機器との通信が可能となる。
【００９５】
（その他の実施形態）
図８（ａ）〜図８（ｃ）に示したデジタルカメラ１００のＵＳＢ  ＴＹＰＥ  ＣコネクタＡ１０８における各端子の信号割り当ては、一例を示したものに過ぎず、本発明の実施形態としてはこれに限定されるものではない。
【００９６】
また、図２や図６に示すアダプタ装置２００では、ＵＳＢ  ＴＹＰＥ  ＣコネクタＤとして、３つのＵＳＢ  ＴＹＰＥ  ＣコネクタＤ２０３，２０６，２０７を構成する例について説明したが、本発明の実施形態としてはこれに限定されるものではない。
【００９７】
図６では、ストロボ発光制御回路２２６をアダプタ装置２００の内部に設ける例を示したが、本発明の実施形態としてはこれに限定されるものではない。例えば、ストロボ発光制御回路２２６をデジタルカメラ１００の内部に設けるようにしてもよい。この場合には、デジタルカメラ１００のＵＳＢ  ＴＹＰＥ  ＣコネクタＡ１０８の各端子に割り当てられる信号群は、それに応じて変更されることになる。
【００９８】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
このプログラム及び当該プログラムを記憶したコンピュータ読み取り可能な記憶媒体は、本発明に含まれる。
【００９９】
なお、上述した本発明の実施形態は、いずれも本発明を実施するにあたっての具体化の例を示したものに過ぎず、これらによって本発明の技術的範囲が限定的に解釈されてはならないものである。即ち、本発明はその技術思想、または、その主要な特徴から逸脱することなく、様々な形で実施することができる。
【符号の説明】
【０１００】
１００：デジタルカメラ（撮像装置）、１０８：ＵＳＢ  ＴＹＰＥ  ＣコネクタＡ、１２１：システム制御回路Ａ、１２２：スイッチＡ、１２３：コントローラＡ、２００：アダプタ装置、２０２：レリーズボタン、２０３：ＵＳＢ  ＴＹＰＥ  ＣコネクタＤ、２０４：アクセサリーシュー、２０６，２０７：ＵＳＢ  ＴＹＰＥ  ＣコネクタＤ、２１０：ＵＳＢ  ＴＹＰＥ  Ｃプラグ、２１１：ＵＳＢ  ＴＹＰＥ  ＣコネクタＢ、２１２：リモートレリーズケーブル接続用コネクタ、２２１：スイッチＢ、２２２：コントローラＢ、２２３：電源回路、２２４：ＵＳＢハブ、２２５：ストロボ発光制御スイッチ、２２６：ストロボ発光制御回路、２２７：システム制御回路Ｂ
【図１】
2018117190.tif 000003
【図２】
2018117190.tif 000004
【図３】
2018117190.tif 000005
【図４】
2018117190.tif 000006
【図５】
2018117190.tif 000007
【図６】
2018117190.tif 000008
【図７】
2018117190.tif 000009
【図８】
2018117190.tif 000010
【図９】
2018117190.tif 000011